(57)【要約】      （修正有）【課題】端末機にイヤホンを装着したか否かによって端末機アプリケーションをインテリジェントに制御できる端末機及び制御システムを提供する。【解決手段】イヤホン着用を感知するセンサーを備えるイヤホンの接続を感知するステップ、上記イヤホン接続感知時、上記イヤホンのセンサーに検出信号を転送する転送ステップ、上記イヤホンから転送される検出応答信号を受信するステップ、上記検出応答信号からユーザがイヤホンを着用したか否かを感知するステップ、そして上記イヤホン未着用感知時、上記イヤホンに出力される実行中のアプリケーションのオーディオ信号を中断する制御ステップからなる。【選択図】図７
2014165925.tif 000002
【特許請求の範囲】
【請求項１】
端末機のアプリケーション制御方法であって、
イヤホン着用を感知するセンサーを備えるイヤホンの接続を感知するステップと、
前記イヤホン接続感知時、前記イヤホンのセンサーに検出信号を転送する転送ステップと、
前記イヤホンから転送される検出応答信号を受信するステップと、
前記検出応答信号からユーザがイヤホンを着用したか否かを感知するステップと、
前記イヤホン未着用感知時、前記イヤホンに出力される実行中のアプリケーションのオーディオ信号を中断する制御ステップと、
からなることを特徴とする、方法。
【請求項２】
前記転送ステップは、アンテナを備える前記イヤホンのセンサーに前記検出信号を無線で転送し、
前記受信ステップは、前記イヤホンに接続されたグランドラインを通じて前記センサーの検出応答信号を受信することを特徴とする、請求項１に記載の方法。
【請求項３】
前記転送ステップは、イヤホンに接続されたグランドラインを通じて前記イヤホンのセンサーに検出信号を転送し、
前記受信ステップは、前記アンテナを備える前記イヤホンのセンサーから無線送信される検出応答信号を受信することを特徴とする、請求項１に記載の方法。
【請求項４】
前記イヤホンを着用したか否かを感知するステップは、検出応答信号を設定された基準データと比較して前記イヤホンを着用したか否かを決定することを特徴とする、請求項２に記載の方法。
【請求項５】
前記制御ステップは、
前記イヤホン未着用感知時、実行中のアプリケーションを中断し格納するステップと、
前記イヤホン着用感知時、中断されたアプリケーションを格納された状態でまた実行するステップをさらに備えることを特徴とする、請求項４に記載の方法。
【請求項６】
前記制御ステップは、
前記イヤホン着用感知時、呼発信アプリケーションであれば設定された電話番号による自動発信通話を実行することを特徴とする、請求項４に記載の方法。
【請求項７】
前記制御ステップは、
前記イヤホン着用感知時、呼発信アプリケーションでカメラが駆動される状態であればビデオ通話アプリケーションを自動で実行することを特徴とする、請求項６に記載の方法。
【請求項８】
前記制御ステップは、
前記イヤホン未着用感知時、オーディオ信号を端末機本体スピーカーに出力することを特徴とする、請求項４に記載の方法。
【請求項９】
前記制御ステップは、
前記イヤホン着用感知時、前記検出応答信号の大きさに対応して、前記イヤホンに出力されるオーディオ信号のボリュームの増減を制御することを特徴とする、請求項４に記載の方法。
【請求項１０】
端末機のアプリケーション制御装置であって、
ユーザが着用したか否かを感知する無電源センサーを備えるイヤホンの接続を感知するイヤホンインターフェースと、
前記イヤホンに検出信号を転送し、前記イヤホンの無電源センサーから出力される検出応答信号を受信するリーダー器と、
前記イヤホン接続感知時、前記イヤホンのセンサーに検出信号を転送及び検出応答信号を受信し、前記検出応答信号を分析して前記イヤホン未着用感知時、前記イヤホンに出力される実行中のアプリケーションのオーディオ信号を中断する制御部と、
から構成されたことを特徴とする、装置。
【請求項１１】
前記リーダー器は、
アンテナを備える前記イヤホンのセンサーに前記無線検出信号を転送し、前記イヤホンインターフェースのグランドラインを通じて前記センサーの検出応答信号を受信することを特徴とする、請求項１０に記載の装置。
【請求項１２】
前記イヤホンインターフェースは、
前記イヤホンのスピーカーに接続される端子と、
前記イヤホンのグランドラインに接続されるグランド端子と、
前記グランド端子と前記リーダー器または前記グランド端子とラジオモジュールを選択的に接続するように設けられたスイッチと、
を含むことを特徴とする、請求項１０に記載の装置。
【請求項１３】
前記制御部は、前記リーダー器から出力される検出応答信号を設定された基準データと比較して前記イヤホンを着用したか否かを決定することを特徴とする、請求項１０に記載の装置。
【請求項１４】
前記制御部は、前記イヤホン未着用感知時、実行中のアプリケーションを中断し格納し、前記イヤホン着用感知時、中断されたアプリケーションを格納された状態でまた実行することを特徴とする、請求項１１に記載の装置。
【請求項１５】
前記制御部は、前記イヤホン着用感知時、呼発信アプリケーションであれば設定された電話番号による自動発信通話を実行することを特徴とする、請求項１０に記載の装置。
【請求項１６】
前記制御部は、前記イヤホン着用感知時、呼発信アプリケーションでカメラが駆動される状態であれば、ビデオ通話アプリケーションを自動で実行することを特徴とする、請求項１０に記載の装置。
【請求項１７】
前記制御部は、前記イヤホン未着用感知時、オーディオ信号を端末機本体スピーカーに出力することを特徴とする、請求項１０に記載の装置。
【請求項１８】
前記制御部は、前記イヤホン着用感知時、前記検出応答信号の大きさに対応して、前記イヤホンに出力されるオーディオ信号のボリュームの増減を制御することを特徴とする、請求項１０に記載の装置。
【請求項１９】
前記制御部は、通信が可能な前記イヤホンを用いて多様なアプリケーション駆動を制御することを特徴とする、請求項１０に記載のイヤホン運用をサポートする端末機。
【請求項２０】
イヤホン装置であって、
オーディオを出力するヘッド部と、
アンテナを備えて前記ヘッド部に装着され、イヤホン装置のグランドラインの間に接続され、外部装置から検出信号を受信し、前記ヘッド部がユーザの耳に着用及び未着用に従う検出応答信号を感知して出力する無電源センサーと、前記無電源センサー及び前記ヘッド部を覆いかぶせるケースと、
を含むことを特徴とする、イヤホン装置。
【請求項２１】
前記無電源センサーは、
温度及び圧力変化のうち、少なくとも１つの変化によって物理的特性が変更されるセンシング部と、
前記センシング部に前記検出信号を伝達し、物理的特性によって変調された応答信号を伝達するトランスポンダと、
前記検出信号を受信して前記トランスポンダに伝達し、前記応答信号を他端末機に提供するアンテナ部、及び信号ラインのうち、少なくとも１つを含むことを特徴とする、請求項２０に記載のイヤホン装置。
【請求項２２】
前記センシング部は、前記検出信号に対する温度変化を感知して検出応答信号として出力することを特徴とする、請求項２１に記載のイヤホン装置。
【請求項２３】
前記センシング部は、
前記検出信号に対する圧力変化を感知して検出応答信号として出力することを特徴とする、請求項２１に記載のイヤホン装置。
【請求項２４】
アプリケーション制御システムであって、
イヤホン装置は、
オーディオを出力するヘッド部と、
アンテナを備えて前記ヘッド部に装着され、イヤホン装置のグランドラインの間に接続され、外部装置から検出信号を受信し、前記ヘッド部がユーザの耳に着用及び未着用に従う検出応答信号を感知して出力する無電源センサーと、
前記無電源センサー及び前記ヘッド部を覆いかぶせるケースとから構成され、
端末装置は、
前記イヤホンの接続を感知するイヤホンインターフェースと、
前記イヤホンに検出信号を転送し、前記イヤホンの無電源センサーから出力される検出応答信号を受信するリーダー器と、
前記イヤホン接続感知時、前記イヤホンのセンサーに検出信号を転送及び検出応答信号を受信し、前記検出応答信号を分析して前記イヤホン未着用感知時、前記イヤホンに出力される実行中のアプリケーションのオーディオ信号を中断する制御部とから構成されたことを特徴とする、システム。
【請求項２５】
前記イヤホン装置の無電源センサーは、
温度及び圧力変化のうち、少なくとも１つの変化によって物理的特性が変更されるセンシング部と、
前記センシング部に前記検出信号を伝達し、物理的特性によって変調された応答信号を伝達するトランスポンダと、
前記検出信号を受信して前記トランスポンダに伝達し、前記応答信号を他端末機に提供するアンテナ部及び信号ラインのうち、少なくとも１つを含むことを特徴とする、請求項２４に記載のシステム。
【発明の詳細な説明】
【技術分野】
【０００１】
本発明は端末機制御に関し、特にイヤホンを装着したか否かによって端末機アプリケーションをインテリジェントに制御できる端末機のアプリケーション制御方法及び装置と、イヤホン装置及びアプリケーション制御システムに関する。
【背景技術】
【０００２】
端末機は通信機能を有し、そのサイズは、携帯できる程度に十分に小さくて多くの人々が用いている。このような端末機は近年タッチスクリーンサイズが拡大されると共に、多様なコンテンツを提供することができるハードウェア及びソフトウェアの進歩に助けられて劇的な成長を遂げている。
【０００３】
一方、端末機のアクセサリー装置としてイヤホン装置が提供される。端末機ユーザは、イヤホン装置を端末機に接続して、オーディオを、イヤホン装置を通じて聴くことができる。ところで、端末機のユーザは、多様な理由により、イヤホン装置を耳から外す場合がよく発生する。この際、ユーザがイヤホンを取り外す前にオーディオ信号制御を実行しなければ、イヤホンを通じて再生されたオーディオを聞き逃してしまう。つまり、ユーザが連続してコンテンツを聴きたいと思っても、これを適切にサポートできないという問題がある。
【発明の概要】
【発明が解決しようとする課題】
【０００４】
本発明の目的は、前述したような従来技術の問題点を解決するためのものであって、ユーザのイヤホン装置脱着の有無を監視して、端末機の多様な機能をインテリジェントに提供できる端末機のアプリケーション制御方法及び装置、イヤホン装置及びアプリケーション制御システムを提供することにある。
【０００５】
この過程で、本発明は、イヤホン装置脱着の監視のための無電源センサーを利用することによって、不要な電源の消耗を最小化しながらも、適切に脱着を監視することができる端末機のアプリケーション制御方法及び装置、イヤホン装置及びアプリケーション制御システムを提供することにある。
【課題を解決するための手段】
【０００６】
上記の目的を達成するための本発明は、イヤホン着用を感知するセンサーを備えるイヤホンの接続を感知するステップ、上記イヤホン接続感知時、上記イヤホンのセンサーに検出信号を転送する転送ステップ、上記イヤホンから転送される検出応答信号を受信するステップ、上記検出応答信号からユーザのイヤホン着用の有無を感知するステップ、そして上記イヤホン未着用感知時、上記イヤホンに出力される実行中のアプリケーションのオーディオ信号を中断する制御ステップからなることを特徴とする、端末機のアプリケーション制御方法の構成を開示する。
【０００７】
また、本発明はユーザの着用の有無を感知する無電源センサーを備えるイヤホンの接続を感知するイヤホンインターフェース、上記イヤホンに検出信号を転送し、上記イヤホンの無電源センサーから出力される検出応答信号を受信するリーダー器、上記イヤホン接続感知時、上記イヤホンのセンサーに検出信号を転送及び検出応答信号を受信し、上記検出応答信号を分析して上記イヤホン未着用感知時、上記イヤホンに出力される実行中のアプリケーションのオーディオ信号を中断する制御部から構成されたことを特徴とする、端末機のアプリケーション制御装置の構成を開示する。
【０００８】
また、本発明はオーディオを出力するヘッド部、アンテナを備えて上記ヘッド部に装着され、イヤホン装置のグランドラインの間に接続され、外部装置から検出信号を受信し、上記ヘッド部がユーザの耳に着用及び未着用に従う検出応答信号を感知して出力する無電源センサーと、上記無電源センサー及び上記ヘッド部を覆いかぶせるケースとを含むことを特徴とする、イヤホン装置の構成を開示する。
【０００９】
また、本発明はイヤホン装置がオーディオを出力するヘッド部、アンテナを備えて上記ヘッド部に装着され、イヤホン装置のグランドラインの間に接続され、外部装置から検出信号を受信し、上記ヘッド部がユーザの耳に着用及び未着用に従う検出応答信号を感知して出力する無電源センサーと、上記無電源センサー及び上記ヘッド部を覆いかぶせるケースから構成され、端末装置が上記イヤホンの接続を感知するイヤホンインターフェース、上記イヤホンに検出信号を転送し、上記イヤホンの無電源センサーから出力される検出応答信号を受信するリーダー器、上記イヤホン接続感知時、上記イヤホンのセンサーに検出信号を転送及び検出応答信号を受信し、上記検出応答信号を分析して上記イヤホン未着用感知時、上記イヤホンに出力される実行中のアプリケーションのオーディオ信号を中断する制御部から構成されたことを特徴とする、アプリケーション制御システムの構成を開示する。
【発明の効果】
【００１０】
以上、説明したように、本発明の端末機のアプリケーション制御方法及び装置、イヤホン装置及びアプリケーション制御システムによれば、本発明は、イヤホン装置の脱着を正確に監視することができるようにサポートしながらも脱着の監視のために無電源センサーを用いることによって、不要な電源消耗を最小化することを可能にする。
【図面の簡単な説明】
【００１１】
【図１】本発明の実施形態に従うイヤホン制御システムの構成を概略的に示す図である。
【図２Ａ】図１のイヤホン装置構成のうち、イヤホンヘッドの多様な構成をより詳細に示す図である。
【図２Ｂ】図１のイヤホン装置構成のうち、イヤホンヘッドの多様な構成をより詳細に示す図である。
【図２Ｃ】図１のイヤホン装置構成のうち、イヤホンヘッドの多様な構成をより詳細に示す図である。
【図２Ｄ】図１のイヤホン装置構成のうち、イヤホンヘッドの多様な構成をより詳細に示す図である。
【図３】図２Ａから図２Ｄのイヤホンヘッド構成のうち、無電源センサー構成をより詳細に示す図である。
【図４】図１の端末機構成をより詳細に示す図である。
【図５】図４の端末機構成のうち、イヤホンインターフェース構成をより詳細に示す図である。
【図６】図４の端末機構成のうち、制御部の構成をより詳細に示す図である。
【図７】本発明の端末機アプリケーション制御方法を説明するための図である。
【図８】本発明の端末機アプリケーション制御方法のうち、アプリ再生制御方法を説明するための図である。
【図９】本発明の端末機アプリケーション制御方法のうち、自動通話方法を説明するための図である。
【図１０】本発明の端末機アプリケーション制御方法のうち、自動ビデオ通話方法を説明するための図である。
【図１１】本発明の端末機アプリケーション制御方法のうち、体温情報の利用方法を説明するための図である。
【図１２】本発明の端末機アプリケーション制御方法のうち、オーディオ信号の出力切換方法を説明するための図である。
【図１３】本発明の端末機アプリケーション制御方法のうち、自動ボリューム調節方法を説明するための図である。
【図１４】本発明のアプリケーション制御機能をサポートする端末機の画面インターフェースの一例を示す図である。
【図１５】本発明のイヤホン装置の動作方法を説明するための図である。
【発明を実施するための形態】
【００１２】
以下、本発明の実施形態を添付した図面に基づいて詳細に説明する。
【００１３】
実施形態を説明するに当たって、本発明が属する技術分野において十分知られており、本発明と直接的に関連のない技術内容に対しては説明を省略する。また、実質的に同一の構成と機能を有する構成要素に対しては詳細な説明を省略する。
【００１４】
同様の理由により添付図面において一部構成要素は誇張、省略、または概略的に図示され、各構成要素のサイズは実際のサイズを反映するものでない。したがって、本発明は添付した図面に図示された相対的なサイズや間隔により制限されない。
【００１５】
以下の説明において、“装着”または“接続”はイヤホン装置が端末機のイヤホンインターフェースに挿入された状態として定義することにする。そして、“装着解除”または“取り外し”、または“接続解除”はイヤホン装置がイヤホンインターフェースから分離された状態として定義する。一方、“着用”はイヤホン装置をユーザの一定位置、例えば耳の一定部分に挿入した状態として定義することにする。そして、“未着用”または“着用解除”はイヤホン装置のイヤホンヘッドがユーザの耳から分離された状態として定義する。
【００１６】
図１は、本発明の実施形態に従う端末機アプリケーション制御システムの構成を概略的に示す図である。
【００１７】
図１を参照すると、本発明の端末機アプリケーション制御システム１０は、アプリケーション制御装置として端末機１００及び無電源センサー２１０が配置されたイヤホン装置２００を含んで構成される。
【００１８】
このような構成を有する本発明の端末機アプリケーション制御システム１０は、無電源センサー２１０を有するイヤホン装置２００を端末機１００に接続した状態、イヤホン装置２００の構成のうち、無電源センサー２１０を有するイヤホンヘッド２０１、２０２をユーザが着用した状態、無電源センサー２１０を有するイヤホン装置２００を端末機１００から分離した状態などによって、端末機１００のユーザ機能を適応的に制御する。特に、本発明の端末機アプリケーション制御システム１０は、無電源センサー２１０をイヤホンヘッド２０１、２０２の一定位置に搭載してユーザがイヤホン装置２００を着用する場合と着用しない場合とを各々区分できるようにする。そして、本発明の端末機アプリケーション制御システム１０は、イヤホン着用状態とイヤホン未着用状態とを識別して、各々適応的に制御することによって、より適切な端末機機能の利用を可能とする。このような本発明の端末機アプリケーション制御システム１０は、イヤホン装置２００に無電源センサー２１０を搭載することによって、別途のセンサー電源提供無しでイヤホン装置２００の着用の有無を監視することができるようにする。これによって、本発明の端末機アプリケーション制御システム１０は、効果的な電源管理と運用に基づいて端末機１００の機能を適応的に提供することができる。
【００１９】
端末機１００は、イヤホン装置２００を挿入できるイヤホンインターフェース１７０を含み、イヤホン装置２００の挿入時、オーディオ信号を、イヤホン装置２００に出力する。特に、本発明の端末機１００は、ユーザがイヤホン装置２００を端末機に装着する場合、オーディオ信号をイヤホン装置２００に出力し、未装着の場合にはオーディオ信号を本体スピーカーを通じて出力することができる。この過程で、端末機１００は、イヤホン装置２００の着用または未着用によって、より適応的にオーディオ信号の出力を制御したり、またはイヤホン装置２００を着用したか否かによって、多様なユーザ機能を制御したりすることができる。前述した端末機１００の利用と関連した多様な制御に対して後述する図面を参照してより詳細に説明する。特に、本発明のイヤホン装置２００を着用したか否かの監視及びそれに伴う機能制御のための端末機１００の各構成と構成の機能について図４から図６を参照して説明する。そして、本発明のイヤホン装置２００を着用したか否かに伴う多様な機能制御に対する多様な例を図７から図１３を参照してより詳細に説明する。
【００２０】
イヤホン装置２００は、端末機１００に設けられたイヤホンインターフェース１７０に挿入された後、端末機１００のオーディオ信号を出力する装置である。このようなイヤホン装置２００は、図示したように端末機１００に設けられたイヤホンインターフェース１７０に挿入されるイヤホンジャック２０３、イヤマイク２０４、イヤホンヘッド２０１、２０２を含んで各構成を接続するケーブルを含んで構成される。イヤホンジャック２０３は、イヤホンインターフェース１７０とマッチする構造を有し、イヤマイク２０４を含む構造の場合、４極で構成される。一方、本発明のイヤホン装置２００からイヤマイク２０４が除外されるように設計される場合、イヤホンジャック２０３は３極で構成されてもよい。特に、本発明のイヤホン装置２００は、無電源センサー２１０がイヤホンヘッド２０１、２０２に設けられることによって、イヤホンヘッド２０１、２０２をユーザが着用する場合、これを端末機１００が識別できるように無電源センサー検出信号を周辺環境によって変化する無電源センサー２１０の物理的特性に応じて変調した無電源センサー応答信号を提供する。以下、無電源センサー２１０の配置及び構造についてより詳細に説明する。
【００２１】
図２Ａから図２Ｄは、本発明のイヤホン装置２００の構成のうち、イヤホンヘッド２０１、２０２の構成をより詳細に示す図である。特に、図２Ａは図１の切断線Ａ−Ａ’に沿ってイヤホンヘッド２０１、２０２を切断した断面を示す図である。
【００２２】
図２Ａを参照すると、本発明のイヤホンヘッド２０１、２０２は、ヘッド部２２０、無電源センサー２１０、及びケース２３０を含んで構成され、ヘッド部２２０にはケーブル２４０が接続される。
【００２３】
ヘッド部２２０は、ケーブル２４０を介して提供されたオーディオ信号を増幅して出力する構成である。このようなヘッド部２２０は、ユーザの耳に装着できるように一定サイズを有して形成される。特に、ヘッド部２２０は円筒形状に設けられることができ、一定の剛性を維持するために強化プラスチックやエポキシ材質、またはその他の多様な材質などで設けられてもよい。このようなヘッド部２２０の下端は、ケーブル２４０が接続及び固定され、上端は増幅されたオーディオ信号を出力することができるように少なくとも１つの音孔が設けられてもよい。
【００２４】
ケース２３０は、無電源センサー２１０が配置されたヘッド部２２０を覆いかぶせる構造物である。特に、ケース２３０はユーザの耳に接触する構成であって、異質感の除去のために特定材質で設けられるとよい。例えば、ケース２３０はゴム材質、ラテックス材質、ポリウレタン材質など、弾性材質または綿などの材質で設けられてもよい。特に、ケース２３０はヘッド部２２０に配置される無電源センサー２１０を覆いかぶせ、かつ外部から提供される物理環境の変化を無電源センサー２１０に提供することができる形態に設けられるとよい。また、ケース２３０は、ヘッド部２２０に設けられた音孔が露出するように設けられるとよい。
【００２５】
無電源センサー２１０は、ヘッド部２２０の外壁の少なくとも一側に配置されて、外部から提供される多様な物理環境に対応する状態を有する。例えば、無電源センサー２１０は一定温度が提供された状態では該当温度に対応する物理状態を有することができ、温度変化によって他の物理状態に遷移できる。また、無電源センサー２１０は一定圧力が提供された状態または圧力が提供されていない状態ではそれに対応する物理状態を有することができ、圧力変化によって他の物理状態に遷移できる。また、無電源センサー２１０は温度や圧力だけでなく、振動や加速度変化またはリーダー器との距離変化などによって物理状態を遷移させることができる。このような無電源センサー２１０は、ＳＡＷ（Surface Acoustic Wave）センサーなどを含むことができる。
【００２６】
図２Ｂは、イヤホンヘッド２０１、２０２の無電源センサー２１０の他の配置形態を示すものである。
【００２７】
図２Ｂを参照すると、本発明のイヤホンヘッド２０１、２０２において、ヘッド部２２０はプラスチック射出物で構成される胴体部２２１と、胴体部２２１に結合される円盤型音響出力部２２２とを含んで構成される。音響出力部２２２は、胴体部２２１の開口された領域に接着剤などにより接着されて固定される。図示するように、音響出力部２２２の底面に少なくとも１つの無電源センサー２１０が配置される。図２Ｂは、２つの無電源センサー２１０が音響出力部２２２の底面に配置された場合を図示している。
【００２８】
図２Ｃ及び図２Ｄは、本発明の無電源センサー２１０の更に他の配置を説明するためのものである。
【００２９】
図２Ｃ及び図２Ｄを参照すると、本発明の無電源センサー２１０は、ヘッド部２２０を覆うケース２３０の内側面に配置される。この場合、ケース２３０は、モールド物で構成されるとよく、耳に着用する際に、異質感が発生することを防止するためにゴム材質またはそれと類似の材質で形成される。特に、ケース２３０は、ヘッド部２２０の前面を覆うベゼルと、ベゼルの前面に設けられ、多数の打孔部を含む蓋を含む。上記無電源センサー２１０は、ベゼルの内側に配置されるか、または蓋とベゼルとの間の特定の位置に配置される。このように配置された無電源センサー２１０は、着用者の耳で発散する体温をより精密に測定することができる。ここで、ケース２３０の内側に無電源センサー２１０を配置するために、無電源センサー２１０は、ＦＰＣＢ（Flexible Printed Circuit Board）、ＳＡＷ（Surface Acoustic Wave）センサーであるとよい。
【００３０】
前述した無電源センサー２１０のより詳細な構造について、図３を参照してより詳細に説明する。
【００３１】
図３は、本発明の無電源センサー２１０のセンシング構造の説明のための図である。
【００３２】
図３を参照すると、本発明の無電源センサー２１０は、センシング部２１３、トランスポンダ２１２、及びアンテナ部２１１を含む。
【００３３】
センシング部２１３は、外部物理環境変化をセンシングする。このようなセンシング部２１３は、外部物理環境の変化によって表面状態が変化されて特定の物理状態の変化を生じる。例えば、センシング部２１３は、外部圧力や温度変化によって表面状態が圧縮または伸張された物理状態の変化を生じることができる。この物理状態の変化は、トランスポンダ２１２に伝達される。
【００３４】
トランスポンダ２１２は、センシング部２１３とアンテナ部２１１との間に配置される。このようなトランスポンダ２１２は、センシング部２１３に提供された物理変化によって一定の状態遷移を行う。そして、トランスポンダ２１２は、アンテナ部２１１を介して伝達された無電源センサー検出信号をセンシング部２１３に伝達し、センシング部２１３を経てフィードバックされる無電源センサー応答信号をアンテナ部２１１に伝達する。トランスポンダ２１２及びセンシング部２１３を通じて伝達された無電源センサー検出信号は、該当構成の物理状態の変化によって一定の信号変化が発生し、これによって無電源センサー応答信号は無電源センサー検出信号に物理状態の変化に対応する。一方、本発明の無電源センサー２１０が無線タイプでない有線タイプで設けられる場合、トランスポンダ２１２は、アンテナ部２１１の代わりに一定信号ライン、例えばイヤホン装置２００のイヤホンヘッドに設けられたグランドラインと接続できる。
【００３５】
アンテナ部２１１は、トランスポンダ２１２に接続されて端末機１００に設けられたリーダー器から無電源センサー検出信号を受信し、受信した無電源センサー検出信号をトランスポンダ２１２に伝達する。そして、アンテナ部２１１は、トランスポンダ２１２が提供する無電源応答信号をリーダー器に伝達する。一方、アンテナ部２１１は、無電源センサー２１０が無線タイプで設けられる場合、イヤホン装置２００に設けられた特定の信号ラインに代替されてもよい。例えば、アンテナ部２１１は、イヤホン装置２００に設けられた信号ライン、例えばグランドラインに代替されてもよい。または、無電源センサー２１０は、アンテナ部２１１及び信号ラインを全て含む構造で形成されてもよい。この場合、端末機１００は、イヤホン装置２００に設けられたアンテナ部２１１と信号ラインとのうち、少なくとも１つを用いて検出信号を転送し、無電源センサー２１０から検出応答信号を受信することができる。例えば、端末機１００は無電源センサー２１０のアンテナ部２１１に検出信号を無線で転送し、信号ラインを通じて有線で検出応答信号を受信することができる。また、端末機１００は、信号ラインを通じて検出信号を有線で転送し、アンテナ部２１１から送出される検出応答信号を受信することができる。
【００３６】
図４は、本発明の実施形態による端末機１００の構成をより詳細に示す図である。
【００３７】
図４を参照すると、本発明の端末機１００は、通信部１１０、入力部１２０、オーディオ処理部１３０、表示部１４０、記憶部１５０、イヤホンインターフェース１７０、リーダー器１８０、及び制御部１６０の構成を含む。
【００３８】
このような構成を含む端末機１００は、イヤホンインターフェース１７０に無電源センサー２１０が配置されたイヤホン装置２００が挿入されれば、設定イベントによって制御部１６０がリーダー器１８０を制御して、イヤホン装置２００の着用状態監視のために無電源センサー検出信号を送出する。そして、端末機１００は、無電源センサー検出信号出力に対応して受信された無電源センサー応答信号の形態によって、イヤホン装置２００を着用したか否かを監視し、それに対応して端末機１００の特定機能を適応的に活性化したり、活性化された状態を維持したり、活性化状態を不活性化状態に遷移したりするように制御することができる。ここで、設定イベントは、イヤホン装置２００の挿入後、一定期間の経過、設定時刻の到来、イヤホン装置２００の着用か否かを判定するための特定の入力信号発生のうちの少なくとも１つである。また、設定イベントは、イヤホン装置２００の挿入と関係なく、一定期間の経過、設定時刻の到来、イヤホン装置２００の着用の監視のための特定の入力信号発生のうちの少なくとも１つであってもよい。
【００３９】
通信部１１０は、端末機１００の通信機能をサポートし、端末機１００が通信機能を有するように設計された場合に含まれる構成である。したがって、端末機１００が通信機能をサポートしない場合、通信部１１０は除外されてもよい。一方、通信部１１０は、端末機１００の多様な通信機能、例えば移動通信機能、近距離無線通信機能などをサポートすることができる。これによって、通信部１１０は、端末機１００が複数の通信機能をサポートするように設計された場合、各々の通信機能サポートのための通信モジュールを含むことができる。例えば、通信部１１０は、移動通信機能サポートのために２Ｇ、３Ｇ、４Ｇなどの移動通信モジュールのうちの少なくとも１つを含んでもよい。また、通信部１１０は、近距離無線通信機能サポートのためのブルートゥース（登録商標）モジュールや、ＮＦＣモジュール、ＲＦＩＤモジュールのうちの少なくとも１つを含んでもよい。
【００４０】
一方、通信部１１０は、イヤホン装置２００の装着及びイヤホン装置２００の着用状態によって、制御部１６０の制御下に適応的に活性化されるか、または不活性化されてもよい。例えば、通信部１１０はイヤホン装置２００が装着された状態でイヤホン装置２００がユーザの一定位置に着用されれば、自動的に活性化されて予め定義された特定電話番号を有する他端末機またはユーザが予め選択した特定の電話番号を有する他の端末機と通信チャンネルを形成してもよい。そして、通信部１１０は、イヤホン装置２００が着用状態から未着用状態に状態変更された場合、自動的に不活性化状態に遷移してもよい。例えば、通話接続及びイヤホン装置２００の着用状態から未着用状態に変更された場合、通話接続終了のための信号が通信部１１０を通じて転送されてもよい。または、通話接続中にイヤホン装置２００の着用解除が発生すれば、通信部１１０が受信したオーディオ信号は自動的にスピーカーＳＰＫを介して出力されてもよい。このようなイヤホン装置２００の未着用または着用解除に伴う機能選択は、ユーザ設定によって調整されてもよく、端末機１００は、設定調整のための画面インターフェースを提供してもよい。
【００４１】
入力部１２０は、端末機１００の操作に必要な入力信号を生成する構成である。入力部１２０は、ホームキー、サイドキー、電源キーなど、物理キーを含む。また、入力部１２０は、表示部１４０がタッチスクリーンによって提供される場合、表示部１４０に出力される仮想キーで構成されてもよい。このような入力部１２０は、本発明の無電源センサー２１０基盤の端末機アプリケーション制御モードをデフォルトで活性化するための入力信号、デフォルトで適用される端末機アプリケーション制御モードを不活性化するための入力信号を、ユーザが操作することにより生成することができる。また、入力部１２０は、各機能別の端末機アプリケーション制御モードにおいて端末機１００の各種機能をユーザ制御によって管理するために、端末機アプリケーション制御モード設定のための画面呼出入力信号、端末機アプリケーション制御モードを適用する少なくとも１つの端末機機能を選択するための入力信号、端末機アプリケーション制御モードが設定された端末機機能のモード解除のための入力信号などを生成することができる。端末機１００は、各入力信号受信時、端末機アプリケーション制御モード設定のための設定画面を表示部１４０に出力し、追加入力信号によって少なくとも１つの端末機機能を本発明の端末機アプリケーション制御モードが適用されるように設定するか、または設定状態を解除するように制御することができる。前述した入力信号は、生成後、制御部１６０に提供されて、該当機能を実行するためにコマンドとして利用されてもよい。
【００４２】
オーディオ処理部１３０は、本発明の端末機１００の動作と関連したオーディオ信号の出力及びオーディオ信号の収集のうち、少なくとも１つの機能をサポートする。このようなオーディオ処理部１３０は、オーディオ信号出力のためのスピーカーＳＰＫとオーディオ信号収集のためのマイクＭＩＣとを含むことができる。オーディオ処理部１３０は、端末機アプリケーション制御モード設定状態を案内する案内音を出力することができる。特に、オーディオ処理部１３０は、特定の端末機機能を活性化する過程で、該当端末機機能に端末機アプリケーション制御モードが設定された状態であれば、それに対応する案内音を出力することができる。
【００４３】
一方、本発明のオーディオ処理部１３０は、イヤホン装置２００の装着状態及びイヤホン装置２００の着用状態によってオーディオ信号の出力パスを切り換える。例えば、オーディオ処理部１３０は、イヤホン装置２００が未装着された状態の場合、オーディオ信号を端末機１００の本体に設けられたスピーカーＳＰＫに出力することができる。ここで、オーディオ処理部１３０は端末機１００の通話機能実行状態でイヤホン装置２００が未装着された場合、レシーバーにオーディオ信号を出力することもできる。また、オーディオ処理部１３０は、イヤホン装置２００が端末機１００に装着され、イヤホン装置２００がユーザに着用された場合、オーディオ信号をイヤホン装置２００に出力することができる。そして、オーディオ処理部１３０は、イヤホン装置２００が端末機１００に装着されているが、ユーザに着用されていない状態の場合には、オーディオ信号をスピーカーＳＰＫに出力することができる。この場合、オーディオ処理部１３０は、制御部１６０からイヤホン装置２００の装着関連情報を取得することができる。
【００４４】
表示部１４０は、本発明の端末機１００の操作と関連した多様な画面を出力する。例えば、表示部１４０は、端末機１００の操作によって、待機画面、メニュー画面などを出力することができる。また、表示部１４０は、端末機１００機能と関連した画面、例えば音声通話画面、ビデオ通話画面、フォンブック画面、オーディオファイル再生画面、放送受信画面、ビデオ再生画面など、ユーザリクエストによって、または予め設定されたスケジュール情報によって特定の画面を出力することができる。一方、本発明の表示部１４０は、イヤホン装置２００の端末機１００への装着及びユーザのイヤホン装置２００の着用と関連する情報を特定イメージやテキストとして画面の一定領域に出力することができる。例えば、表示部１４０は、イヤホン装置２００の端末機１００への装着及びユーザの着用と関連したイメージ情報をインジケータ領域に出力してもよい。または、表示部１４０は、イヤホン装置２００の端末機１００への装着及びユーザの着用と関連したテキスト情報をポップアップウィンドウで画面の一定領域に出力してもよい。これと共に、表示部１４０は、イヤホン装置２００の端末機１００への装着及びユーザの着用によって実行可能な機能関連情報を出力してもよい。これに対する表示部１４０の画面の一例に対し、図１４を参照してより詳細に説明する。
【００４５】
記憶部１５０は、端末機１００の動作と関連した多様なプログラム及びデータを記憶する。例えば、記憶部１５０は、端末機１００の動作と関連したオペレーティングシステム、通信部１１０の動作のための通信機能サポート応用プログラム、放送受信機能サポートのためのプログラムなどを格納することができ、各機能の実行に伴って生成されたデータを格納することができる。特に、記憶部１５０は、本発明の端末機アプリケーション制御モードをサポートするためにイヤホンサポートプログラム１５１、機能テーブル１５５、及び基準データ１５３を格納することができる。
【００４６】
イヤホンサポートプログラム１５１は、本発明のイヤホン装置２００の端末機１００への装着及びユーザの着用によって特定端末機機能を適応的に実行するようにサポートするための多様なルーチンを含む。例えば、イヤホンサポートプログラム１５１はイヤホン装置２００を端末機１００へ装着したか否かを検出するルーチン、ユーザがイヤホン装置２００を着用したか否かを検出する検出ルーチンを含む。ここで、ユーザがイヤホン装置２００を着用したか否かを検出する検出ルーチンは、無電源センサー検出信号を送出するルーチン、無電源センサー検出信号に対応して受信された無電源センサー応答信号を基準データ１５３と比較するルーチン、比較結果によって、イヤホン装置２００を着用したか否かを決定するルーチンを含む。
【００４７】
また、イヤホンサポートプログラム１５１は、イヤホン装置２００を着用したか否かの結果によって、特定のアプリケーションプログラムに関係する端末機機能を適応的に変更するか、または以前の状態を維持するように制御する機能制御ルーチンを含む。このような機能制御ルーチンは、端末機機能の種類を確認するルーチン、機能テーブル１５５を参照してイヤホン装置２００を着用したか否かによって端末機機能を調節するルーチンを含む。
【００４８】
機能テーブル１５５は、端末機１００の多様な機能の種類と、端末機アプリケーション制御モード設定時、イヤホン装置２００の端末機１００への装着及びユーザの着用の有無によって遂行される多様なスケジュール情報をマッピングしたテーブルである。例えば、機能テーブル１５５は、イヤホン装置２００を着用したか否かによって、通話機能の活性化または不活性化に関する制御情報、イヤホン装置２００を着用したか否かによって、通話機能の実行時、オーディオ信号出力パスを決定する情報などを含んでもよい。また、機能テーブル１５５は、イヤホン装置２００を着用したか否かによってボリュームを自動で制御するように設計された設定情報、イヤホン装置２００の着用者の体温によって特定情報を出力するか、または特定機能を実行するように設定された設定情報などを含むことができる。このような機能テーブル１５５は、イヤホン装置２００がイヤホンインターフェース１７０に挿入されれば、制御部１６０から呼び出され、特定機能を実行したか否か、及びイヤホン装置２００を着用したか否かに伴う機能サポートのために利用できる。
【００４９】
基準データ１５３は、イヤホン装置２００を着用したか否かを監視するためのデータである。即ち、基準データ１５３は、イヤホン装置２００が着用された状態でイヤホン装置２００に設けられた無電源センサー２１０から収集される無電源センサー応答信号である。この際、基準データ１５３は、イヤホン装置２００の着用によって物理的圧力が加えられた無電源センサー２１０から応答されるセンサー信号、イヤホン装置２００の着用によって所定の温度環境が提供された無電源センサー２１０から応答されるセンサー信号、リーダー器１８０から所定の距離だけ離隔した環境によって無電源センサー２１０から応答されるセンサー信号などを含んでもよい。このような基準データ１５３は、イヤホン装置２００が端末機１００に装着された後、リーダー器１８０がイヤホン装置２００が装着されたか否かを検出する過程で利用できる。
【００５０】
リーダー器１８０は、イヤホン装置２００が装着されたか否かを判定するために制御部１６０の制御によって無電源センサー検出信号を送出し、送出された無電源センサー検出信号に対する無電源センサー応答信号を収集する。そして、リーダー器１８０は、収集された無電源センサー応答信号を制御部１６０に伝達する。このために、リーダー器１８０は、無電源センサー２１０の設計に応じて、無電源センサー検出信号を無線で送出したり、有線で送出したりすることができる。即ち、リーダー器１８０は、無電源センサー２１０がアンテナ部２１１を含む無線タイプで設けられる場合、無電源センサー検出信号を生成し、生成された無電源センサー検出信号を無線で無電源センサー２１０に送出する。このために、リーダー器１８０は、無電源センサー検出信号の送出及び無電源センサー応答信号の受信のためにアンテナをさらに含んでもよい。
【００５１】
一方、リーダー器１８０は、無電源センサー２１０が有線タイプで設けられる場合、イヤホンインターフェース１７０に含まれたグランド端子、及びグランド端子に接続されるイヤホン装置２００のグランドラインを通じて無電源センサー検出信号を送出する。そして、リーダー器１８０は、同一の信号ラインを通じて無電源センサー検出信号に対応する無電源センサー応答信号を受信する。この場合、リーダー器１８０は、無電源センサー検出信号の送出及び無電源センサー応答信号の受信のために別途のアンテナを含まないように設計してもよい。
【００５２】
イヤホンインターフェース１７０には、イヤホン装置２００が挿入される。このために、イヤホンインターフェース１７０には、イヤホン装置２００のイヤホンジャック２０３に対応する一定サイズの溝が設けられる。イヤホンインターフェース１７０の内部には、イヤホンジャック２０３に形成された端子と接触できるように各端子が配置される。例えば、イヤホンインターフェース１７０は、図５に示すように、ＭＩＣ端子、ＯＰＥＮ＿ＤＥＴ端子、ＥＡＲＳＰＫ＿Ｌ端子、ＥＡＲＳＰＫ＿Ｒ端子、及びグランド端子ＧＮＤを含んで構成されるとよく、さらに利用されない端子が別に設けられてもよい。ＯＰＥＮ＿ＤＥＴ端子は、イヤホンを挿入したか否かを判定する端子である。特に、本発明のイヤホンインターフェース１７０に設けられた端子のうち、グランド端子ＧＮＤは無電源センサー信号の送受信のために利用されてもよい。このために、グランド端子ＧＮＤは、イヤホン装置２００のグランドラインと接続される。各グランドラインは、イヤホンヘッド２０１、２０２まで接続されており、本発明では無電源センサー２１０がイヤホン装置２００の各グランドラインに接続されて配置される。これによって、グランドラインを通じて、無電源センサー検出信号がイヤホンヘッド２０１、２０２に配置された無電源センサー２１０に供給され、同一のグランドラインを通じて無電源センサー２１０の無電源センサー応答信号が端末機１００に伝達される。
【００５３】
一方、イヤホンインターフェース１７０の構成のうち、グランド端子ＧＮＤは、端末機１００がラジオ機能をサポートするように設けられる場合、ラジオモジュール、例えばＦＭモジュール１９０と接続されてラジオアンテナの機能を果たすことができる。これによって、本発明の端末機１００は、グランド端子ＧＮＤがＦＭモジュール１９０とリーダー器１８０の機能を実行する過程で互いに重畳しないように、図示したようにスイッチ１７１をさらに含んでもよい。スイッチ１７１は、制御部１６０により制御される。そして、スイッチ１７１は、デフォルトでリーダー器１８０とグランド端子ＧＮＤとを接続するようにセッティングされてもよく、ＦＭモジュール１９０の動作、即ちラジオ機能活性化のためのリクエストが発生すれば、グランド端子ＧＮＤをＦＭモジュール１９０と接続されるようにスイッチ１７１がセッティングされてもよい。これによって、本発明のイヤホンインターフェース１７０は、本発明の端末機アプリケーション制御モードサポート時にはスイッチ１７１を制御してリーダー器１８０とグランド端子ＧＮＤとの間に電気的な接続状態を生じさせ、ラジオ機能の実行時にはＦＭモジュール１９０とグランド端子ＧＮＤとの間に電気的な接続状態を生じさせる。
【００５４】
制御部１６０は、本発明の実施形態に従う端末機アプリケーション制御モードをサポートするための信号制御と、データの処理、データの伝達、機能の制御、及び機能制御のための無電源センサー２１０の状態監視などのための処理をサポートする。このために、制御部１６０は図６に示すような構成を含むことができる。
【００５５】
図６は、本発明の実施形態に従う端末機１００の構成のうち、制御部１６０の構成をより詳細に示す図である。
【００５６】
図６を参照すると、本発明の制御部１６０は、無電源センサー信号収集部１６１、信号比較部１６３、及び機能運用部１６５の構成を含むことができる。
【００５７】
無電源センサー信号収集部１６１は、リーダー器１８０を制御して予め定義された一定パターンの無電源センサー検出信号をイヤホン装置２００に配置された無電源センサー２１０に供給するように制御する。この過程で、無電源センサー信号収集部１６１は予め定義された設定イベントによって無電源センサー検出信号を送出するように制御する。例えば、無電源センサー信号収集部１６１はイヤホン装置２００がイヤホンインターフェース１７０に挿入される場合、無電源センサー検出信号を送出するように制御する。また、無電源センサー信号収集部１６１はイヤホン装置２００の挿入後、予め設定された一定周期単位で無電源センサー検出信号を送出するように制御する。無電源センサー信号収集部１６１は、イヤホン装置２００のイヤホンインターフェース１７０の装着の監視のためにイヤホンインターフェース１７０に設けられたイヤホン装置２００の挿入または離脱の監視のための端子監視を実行することができる。
【００５８】
一方、無電源センサー検出信号の送出方式は、前述したように無線方式及び有線方式のうち、少なくとも１つが選択されて実行される。または、無電源センサー信号収集部１６１は優先的に有線方式により無電源センサー検出信号送出を一定回数以上試みて、無電源センサー応答信号の受信失敗の場合、無線方式により無電源センサー検出信号の送出が適用されるように制御することができる。無電源センサー信号収集部１６１は、リーダー器１８０から無電源センサー応答信号の伝達を受ければ、これを信号比較部１６３に伝達することができる。さらに、無電源センサー信号収集部１６１は設計方式によってイヤホン装置２００がイヤホンインターフェース１７０に挿入されていない状態でも一定周期単位で無電源センサー検出信号を検出するように制御することができる。この場合、無電源センサー信号収集部１６１は無線方式により無電源センサー検出信号の送出を制御することができる。一方、本発明の無電源センサー基盤のイヤホン運用システムは、無線方式が適用される場合、無線ヘッドセットにも同一に適用できる。
【００５９】
無電源センサー信号収集部１６１は、イヤホンインターフェース１７０に設けられたスイッチ１７１の制御を担当することができる。即ち、無電源センサー信号収集部１６１はイヤホンインターフェース１７０にイヤホン装置２００が装着されることを感知すれば、デフォルトで接地端子ＧＮＤとリーダー器１８０とが互いに接続されるように制御することができる。そして、無電源センサー信号収集部１６１は、ＦＭモジュール１９０基盤のラジオ機能実行のリクエストを受ける場合、スイッチ１７１を制御してグランド端子ＧＮＤとＦＭモジュール１９０とを接続してグランド端子ＧＮＤに接続されるイヤホン装置２００のグランドラインがＦＭモジュール１９０のアンテナの役割を果たす。
【００６０】
信号比較部１６３は、無電源センサー信号収集部１６１から無電源センサー応答信号の伝達を受ければ、該当信号を基準データ１５３と比較することができる。そして、信号比較部１６３は基準データ１５３と無電源センサー応答信号とが一致するか否かの結果を機能運用部１６５に提供する。この際、信号比較部１６３は基準データ１５３が複数個の場合、受信された無電源センサー応答信号がどんな基準データに該当するかを確認し、それに対応する情報を機能運用部１６５に提供することができる。
【００６１】
例えば、イヤホンヘッド２０１、２０２に無電源センサー２１０が各々配置される。したがって、無電源センサー信号収集部１６１は、イヤホンヘッド２０１、２０２の各々に配置された無電源センサー２１０に無電源センサー検出信号を送出するように制御して、それに対応する無電源センサー応答信号を受信して信号比較部１６３に提供することができる。結果的に、信号比較部１６３は、イヤホンヘッド２０１、２０２の各々に配置された無電源センサー２１０から受信された無電源センサー応答信号を基準データ１５３と比較することができる。この際、信号比較部１６３は、無電源センサー応答信号のうち、第１信号を圧力関連基準データと比較することができる。また、信号比較部１６３は、無電源センサー応答信号のうち、第２信号を温度関連基準データと比較することができる。そして、信号比較部１６３は、第１信号に対する圧力関連基準データ比較結果と第２信号に対する温度関連基準データ比較結果とを各々機能運用部１６５に提供することができる。一方、信号比較部１６３は、設計方式によって無電源センサー応答信号を全て圧力関連基準データと比較したり、温度関連基準データと比較したりし、その結果を機能運用部１６５に提供することもできる。
【００６２】
前述した多様な状況をサポートするために、端末機１００は、各状況に合う基準データ、例えば圧力関連基準データ、温度関連基準データ、距離関連基準データなどを予め格納することができる。各基準データは、イヤホン装置２００が着用された状態での信号値と着用されていない状態での信号値などを含むことができ、着用状態の状況別レベル値を含むことができる。状況別レベル値は、着用圧力変化レベルに従うデータ、着用者の温度変化レベルに従うデータを含む。
【００６３】
機能運用部１６５は、信号比較部１６３が提供した無電源センサー応答信号及び基準データ１５３との比較結果によって、特定端末機機能を適応的に実行するように制御する構成である。このために、機能運用部１６５は、格納部１５０に格納された機能テーブル１５５を確認し、イヤホン装置２００の着用状態に従う機能を実行するように制御する。
【００６４】
例えば、イヤホン装置２００が装着された状態でイヤホン装置２００が着用されたことと判定できる基準データ比較結果を信号比較部１６３から受信すれば、機能運用部１６５は、予め設定された特定オーディオファイル、ビデオファイル、ｅブックファイルなどを自動で活性化するように制御し、それに従う画面出力及びオーディオ信号出力を実行するように制御することができる。ここで、機能運用部１６５は、オーディオ信号をイヤホン装置２００に出力されるように制御することができる。また、機能運用部１６５は、イヤホン装置２００の着用と判定される場合、予め定義された特定電話番号またはユーザが入力した特定電話番号を有する他端末機と音声通話チャンネルを自動で形成するように制御することができる。ここで、機能運用部１６５は、カメラを利用してユーザが表示部１４０の一定領域を注視していると判定されれば、音声通話チャンネルの代りにビデオ通話チャンネルを自動で形成するように制御することができる。このために、端末機１００は、カメラの構成をさらに含んでもよい。ここで、カメラは、ビデオ通話サポートのために表示部１４０が配置された端末機１００の前面に配置できる。
【００６５】
更に他の例として、機能運用部１６５は、イヤホン装置２００の着用状態の場合、自動音量調節、オーディオ信号出力パスの切換、体温情報に従う情報出力などを制御することができる。また、機能運用部１６５は、イヤホン装置２００の着用が解除された場合、現在実行されているアプリを一時停止するように制御し、イヤホン装置２００の着用が再開されるか、または着用状態を維持する場合、一時停止されたアプリをまた再生するか、または再生中のアプリの再生状態を維持するように制御することができる。また、機能運用部１６５は、イヤホン装置２００の着用が解除された場合、自動録音または自動録画機能を活性化するように制御し、イヤホン装置２００の着用が再開された場合、録音または録画機能を終了するように制御することができる。
【００６６】
図７は、本発明の実施形態に従うイヤホン装置の着用の有無に従う端末機アプリケーション制御方法を説明するための図である。
【００６７】
図７を参照すると、本発明の端末機アプリケーション制御方法は、ステップ７０１で端末機１００の制御部１６０が機能実行を待機する。例えば、制御部１６０は、本発明の端末機アプリケーション制御モードをサポートするために、電源部からの電源を端末機１００の一定構成に供給することができる。以後、制御部１６０は、ステップ７０３でイヤホン装置２００を接続したか否かを決定する。このステップで、イヤホン装置２００が接続されていない場合、ステップ７０５に進み、予め設定されたスケジュール情報または入力部１２０などから入力される入力信号に従うユーザ機能を実行するようにサポートすることができる。制御部１６０は、イヤホン装置２００の接続の監視のために、イヤホンインターフェース１７０に設けられた特定端子の信号変化を検出することができる。
【００６８】
一方、ステップ７０３でイヤホン装置２００がイヤホンインターフェース１７０に接続されたと判断されれば、制御部１６０はステップ７０７に進み、無電源センサー２１０基盤のイヤホンヘッド２０１、２０２の着用の有無を監視する。このために、制御部１６０は予め定義された無電源センサー検出信号またはダミー信号を無電源センサー２１０に送出するように制御することができる。これをより詳細に説明すると、制御部１６０はリーダー器１８０を制御して一定パターンの無電源センサー検出信号を無線方式及び有線方式のうち、少なくとも１つの方式により送出することができる。または、制御部１６０はダミー信号を送出するように制御することができ、この場合、転送されたダミー信号を一時格納する。そして、制御部１６０は送出された無電源センサー検出信号に対応した無電源センサー応答信号を収集する。制御部１６０は、ダミー信号を送出した場合、ダミー信号に対する応答信号を収集することができる。
【００６９】
そして、制御部１６０は、ステップ７０９でイヤホン装置２００が着用されたかを決定する。即ち、制御部１６０は、送出した無電源センサー検出信号と無電源センサー応答信号とを相互比較して、比較結果値と予め定義された基準データ１５３とを比較することができる。または、制御部１６０はダミー信号とダミー信号の応答信号との間の比較結果値を基準データ１５３と比較することができる。ステップ７０９で、イヤホン装置２００が着用された状態と判定されれば、即ち基準データ１５３との比較結果がイヤホン装置２００の着用状態に該当する値が確認されれば、制御部１６０は、ステップ７１１に進み、イヤホン装置２００の着用に伴う機能を実行する。例えば、制御部１６０は、イヤホン装置２００の着用によって予め定義された特定電話番号を用いた自動通話接続、オーディオ信号出力が必要なオーディオファイルやビデオファイル、特定の放送チャンネルの受信をサポートするアプリの自動再生機能などを実行することができる。
【００７０】
一方、ステップ７０９で、イヤホン装置２００が未着用状態または着用解除状態の場合、制御部１６０は、ステップ７１３に進み、イヤホン装置２００の未着用または着用解除に従う機能を実行する。例えば、制御部１６０は、端末機１００の以前の状態を維持するように制御することができる。または、制御部１６０は着用解除によって実行中であったアプリ機能を一時停止するか、または現在実行中のアプリ機能を実行することにより発生するデータに対する録音または録画機能を自動的に実行するように制御することができる。
【００７１】
次に、制御部１６０は、ステップ７１５で接続されたイヤホン装置２００を接続解除したか否か、即ち取り外しの有無を監視する。このステップで、イヤホン装置２００が接続解除された場合、制御部１６０は、イヤホン機能終了をサポートする。一方、制御部１６０は、ステップ７１５でイヤホン装置２００が接続状態を維持した場合、ステップ７０７に進み、以下の過程を再実行することができる。ここで、制御部１６０は、イヤホン装置２００を着用したか否かの監視を予め定義された一定周期単位で実行し、その結果に従う機能を実行することができる。または、制御部１６０は、イヤホン装置２００が接続された状態では、リアルタイムにイヤホン装置２００を着用したか否かを監視することができる。または、制御部１６０は、イヤホン装置２００が接続された後、入力部１２０などからイヤホン装置２００を着用したか否かの監視のための入力信号が受信されれば、イヤホン装置２００を着用したか否かの決定及びそれに従う機能を制御することもできる。
【００７２】
図８は、本発明の実施形態に従う端末機アプリケーション制御方法のうち、アプリ再生制御方法を説明するための図である。
【００７３】
図８を参照すると、本発明のアプリ再生制御方法は、まず制御部１６０がステップ８０１で設定によって予め定義された基準波に該当する無電源センサー検出信号を無電源センサー２１０に送出するように制御する。そして、制御部１６０は、ステップ８０３で無電源センサー応答信号に該当する反射波を収集する。無電源センサー応答信号が収集されれば、制御部１６０は、ステップ８０５で基準波対比反射波変化程度を予め定義された基準データ１５３と比較して基準データ１５３以上か否かを決定する。
【００７４】
制御部１６０は、ステップ８０５で基準波対比反射波変化程度が基準データ１５３以上の場合、ステップ８０７に進み、実行中のアプリを中止し、それに従うデータ格納を実行するか、または以前に実行されたアプリの格納状態からまた再生するように制御する。即ち、制御部１６０は、基準波対比反射波変化程度が基準データ１５３以上に受信されてイヤホン装置２００の着用状態が解除されたか、またはイヤホン装置２００の未着用状態から着用状態に変更されたと判断されれば、ステップ８０７に進み、イヤホン装置２００の着用に従う一定機能を実行するようにサポートすることができる。
【００７５】
この場合、無電源センサー２１０の信号変化のみを検出するように端末機１００を設計できるので、無電源センサー２１０基盤の端末機アプリケーション制御モードの設計をより単純化することができる。例えば、端末機１００は、機能実行のために基準波対比反射波変化時点の履歴を一時的に格納することができる。即ち、端末機１００は、基準波対比反射波変化時点の直前に端末機１００の状態が特定アプリを一時停止した状態であるか、または特定アプリを再生している状態であるかなどに対する履歴を格納する。そして、端末機１００は、基準波対比反射板の変化が発生すれば、以前の状態と異なる状態、即ち一時停止されたアプリを再生するか、再生中のアプリを一時停止するように制御することができる。
【００７６】
一方、ステップ８０５で基準波対比反射波変化が基準データ以下の場合、即ち別途のイヤホン装置２００の着用または未着用状態の変化がない場合、制御部１６０は、ステップ８０９に進み、実行中のアプリを以前と同じ状態を有するように維持することができる。例えば、制御部１６０は、アプリが一時停止された状態の場合、一時停止状態を維持するように制御し、アプリが再生中の状態の場合、再生状態を維持するように制御することができる。
【００７７】
次に、制御部１６０は、ステップ８１１でイヤホン装置２００の接続解除が発生するか否かを決定する。そして、制御部１６０は、イヤホン装置２００の接続解除がない場合、ステップ８０１の前に戻り、以下の過程を再度実行することができる。
【００７８】
図９は、本発明の実施形態に従う端末機アプリケーション制御方法のうち、自動通話運用方法を説明するための図である。
【００７９】
図９を参照すると、本発明の自動通話運用方法は、まず制御部１６０がステップ９０１で設定によって基準波に該当する無電源センサー検出信号を無電源センサー２１０に転送する。そして、制御部１６０はステップ９０３で無電源センサー応答信号を収集する。すると、制御部１６０はステップ９０５で収集された無電源センサー応答信号がイヤホン装置２００の着用状態に該当する信号か否かを決定する。イヤホン装置２００の着用状態監視のための過程は、前述したように無電源センサー検出信号及び無電源センサー応答信号変化程度を監視して実行することができる。ステップ９０５で収集された無電源センサー応答信号監視過程でイヤホン装置２００の未着用状態と判定される場合、制御部１６０は、ステップ９０７に進み、端末機１００の現在状態を維持するように制御する。
【００８０】
一方、制御部１６０は、現在収集された無電源センサー応答信号を監視する過程でイヤホン装置２００の着用状態と判定される場合、ステップ９０９に進み、通話呼発信準備状態か否かを決定する。ここで、通話呼発信準備状態でない場合、制御部１６０は、ステップ９０７に進み、端末機１００の現在状態を維持することができる。一方、ステップ９０９で、端末機１００の状態が通話呼発信準備状態の場合、制御部１６０は、ステップ９１１に進み、自動通話呼発信を実行することができる。通話呼発信準備状態は、特定電話番号が入力された状態、フォンブック情報のうちの特定電話番号が指定された状態などを指す。
【００８１】
次に、制御部１６０は、ステップ９１３でイヤホン装置２００の接続が解除されたか否かを決定する。そして、制御部１６０は、イヤホン装置２００の接続が解除された場合、ステップ９１５で自動通話呼発信を中止することができる。一方、制御部１６０は、ステップ９１３でイヤホン装置２００の接続が解除されていない場合、ステップ９１７に進み、通話接続が実行されたかを決定する。ここで、制御部１６０は、通話接続が実行された状態の場合、制御部１６０は、ステップ９１９に進み、通話接続に従う機能を実行する。そして、制御部１６０は、通話接続が未実行状態の場合、ステップ９１１に戻り、以下の過程を再実行してもよい。制御部１６０は、ステップ９０７、ステップ９１５、及びステップ９１９が実行された後、端末機１００の機能運用待機状態に復帰されるように制御することができる。例えば、制御部１６０は、端末機１００の待機画面出力状態に復帰するか、またはイヤホン装置２００の接続直前に実行されていた機能状態に復帰するように制御することができる。
【００８２】
図１０は、本発明の端末機アプリケーション制御方法のうち、ビデオ通話の自動実行を説明するための図である。
【００８３】
図１０を参照すると、本発明のビデオ通話自動発信方法は、まずステップ１００１で制御部１６０が設定によって基準波に該当する無電源センサー検出信号を転送する。ここで、制御部１６０は、イヤホンインターフェース１７０にイヤホン装置２００が装着された場合、無電源センサー検出信号を送出することができる。または、制御部１６０は、イヤホン装置２００の装着状態か否かに関係無く、無電源センサー検出信号を送出するように設計されてもよい。
【００８４】
次に、制御部１６０は、ステップ１００３で無電源センサー検出信号に対応する無電源センサー応答信号を収集する。そして、制御部１６０は、ステップ１００５に進み、イヤホン装置２００を着用したか否かを決定する。このステップで、制御部１６０は、イヤホン装置２００の未着用状態の場合、ステップ１０２３に進み、端末機１００の現在状態を維持するように制御することができる。例えば、制御部１６０は、ウェブページを表示部１４０に出力するか、またはファイル編集機能などをサポートすることができる。
【００８５】
ステップ１００５で、イヤホン装置２００の着用状態と判定されれば、制御部１６０は、ステップ１００７に進み、通話呼発信準備状態か否かを決定する。ここで、制御部１６０は、通話呼発信準備状態でない場合、ステップ１０２３に進み、端末機１００の現在状態を維持することができる。そして、制御部１６０は、ステップ１００７で通話呼発信準備状態の場合、ステップ１００９に進み、カメラ注視状態か否かを決定する。このために、制御部１６０は、通話呼発信準備状態の場合、カメラを活性化し、映像を収集するように制御することができる。そして、制御部１６０は収集された映像で目及び瞳位置を認識する。ここで、瞳位置または瞳角度が予め定義された一定角度範囲以内か否かによって、制御部１６０はステップ１００９でのカメラ注視状態を決定することができる。
【００８６】
ステップ１００９で、ユーザがカメラを注視している状態と判定されれば、制御部１６０は、ステップ１０１１に分岐して自動ビデオ通話呼発信を実行する。そして、制御部１６０は、ステップ１００９でユーザがカメラを注視していない状態と判定される場合、ステップ１０１３に進み、一般通話呼自動発信を実行するように制御することができる。
【００８７】
次に、制御部１６０は、ステップ１０１５に進み、通話接続されたか否かを決定し、通話が接続されれば、ステップ１０１７に進み、通話接続に従う機能を実行することができる。例えば、制御部１６０は、ビデオ通話のために、カメラが収集した映像及びマイクが収集したオーディオ信号を他端末機に転送し、他端末機が提供した映像及びオーディオ信号を出力することができる。また、制御部１６０は、一般音声通話のために、マイクが収集したオーディオ信号を転送し、受信されたオーディオ信号を、イヤホン装置２００を通じて出力することができる。
【００８８】
一方、制御部１６０は、ステップ１０１５で通話接続が実行されていない場合、ステップ１０１９に進み、イヤホン装置２００を着用解除したか否かを監視する。そして、制御部１６０は、イヤホン装置２００の着用が解除された場合、ステップ１０２１に進み、通話発信を中止するように制御することができる。即ち、制御部１６０は、自動通話呼発信を実行する際に、他端末機のユーザが通話接続を受諾する前にイヤホン装置２００の着用解除が発生すれば、通話呼発信を自動で中止することができる。ステップ１０１９で、イヤホン装置２００の着用が解除されていない場合、ステップ１００９に戻って、以下の過程を再実行することができる。
【００８９】
図１１は、本発明の実施形態に従う端末機アプリケーション制御方法のうち、体温情報の提供方法を説明するための図である。
【００９０】
図１１を参照すると、本発明の体温情報提供方法では、制御部１６０が、ステップ１１０１で、設定によって基準波に該当する無電源センサー検出信号を無電源センサー２１０に送出し、その後、ステップ１１０３で無電源センサー応答信号を収集する。ここで、制御部１６０は、無電源センサー２１０に基づいてイヤホン装置２００の着用者の温度情報を収集するための無電源センサー応答信号分析を遂行する。このために、制御部１６０は基準データ１５３の比較過程で無電源センサー応答信号を温度情報と関連した基準データ１５３と比較することができる。端末機１００は、基準データ１５３を設ける時、無電源センサー応答信号に該当する温度情報を予め格納することができる。
【００９１】
次に、制御部１６０はステップ１１０５で無電源センサー応答信号に基づいてイヤホン装置２００を着用したか否かを決定し、イヤホン装置２００の未着用状態と判定されれば、ステップ１１１３に進み、端末機１００の現在状態を維持するように制御することができる。一方、制御部１６０は、ステップ１１０５でイヤホン装置２００の着用状態と判定されれば、ステップ１１０７に進み、無電源センサー応答信号に基づいてイヤホン装置２００の着用者の体温情報を検出する。そして、制御部１６０は、ステップ１１０９で検出された体温情報が基準値以上か否かを監視する。このステップで、制御部１６０は体温値が予め定義された一定基準値以下の場合、ステップ１１１３に進み端末機１００の現在状態を維持することができる。
【００９２】
一方、制御部１６０は、ステップ１１０９でイヤホン装置２００の着用者の体温情報が一定基準値以上の場合、ステップ１１１１に進み、体温警告及び関連情報を提供することができる。例えば、制御部１６０は、イヤホン装置２００の着用者に現在体温状態に対する情報を提供し、現在体温状態で取らなければならない行動綱領情報を出力するように制御することができる。この過程で、制御部１６０は、体温状態に従う行動綱領情報を予め格納して提供するか、または体温状態に従う行動綱領情報を提供してくれるウェブサイトに接続及びそれに従うウェブページを出力することができる。一方、制御部１６０は、行動綱領情報以外に現在端末機１００のユーザが位置した地点を基準に一定範囲内の病院位置情報を地図に出力することもできる。
【００９３】
図１２は、本発明の実施形態に従う端末機アプリケーション制御方法のうち、オーディオ信号の出力切換方法を説明するための図である。
【００９４】
図１２を参照すると、本発明のオーディオ信号出力切換方法は、制御部１６０がステップ１２０１で無電源センサー検出信号を送出し、ステップ１２０３で無電源センサー応答信号を収集して、ステップ１２０５でイヤホン装置２００を着用したか否かを決定する。そして、制御部１６０は、ステップ１２０５でイヤホン装置２００の着用状態と決定されれば、ステップ１２１３に進み、端末機１００の現在状態を維持することができる。
【００９５】
一方、ステップ１２０５で、イヤホン装置２００の未着用と決定されれば、ステップ１２０７でイヤホン装置２００の装着を監視する。そして、制御部１６０はステップ１２０９でイヤホン装置２００を装着したか否かを監視して、イヤホン装置２００の装着状態の場合にはステップ１２１１に進み、オーディオ信号出力パスを端末機１００のスピーカーＳＰＫに繋ぐように制御することができる。そして、制御部１６０は、ステップ１２０９でイヤホン装置２００の未装着状態の場合、ステップ１２１３に進む。
【００９６】
一方、前述した説明では、イヤホン装置２００の着用状態を先に監視し、イヤホン装置２００の装着状態を後で監視することと説明したが、本発明はこれに限定されるものではない。即ち、本発明のオーディオ信号出力切換方法は、まずイヤホン装置２００を装着したか否かを監視し、イヤホン装置２００が装着された状態でイヤホン装置２００の未着用状態の場合、オーディオ信号出力パスを端末機１００のスピーカーＳＰＫに繋ぐように制御することができる。そして、制御部１６０は、イヤホン装置２００が装着された状態でイヤホン装置２００が着用状態の場合、オーディオ信号をイヤホン装置２００に出力することができる。
【００９７】
図１３は、本発明の実施形態に従う端末機アプリケーション制御方法のうち、自動音量調節方法を説明するための図である。
【００９８】
図１３を参照すると、本発明の自動音量調節方法では、制御部１６０がステップ１３０１で無電源センサー検出信号を転送し、ステップ１３０３でそれに対応する無電源センサー応答信号を収集する。以後、制御部１６０は、ステップ１３０５でイヤホン装置２００を着用したか否かを監視する。制御部１６０は、ステップ１３０５でイヤホン装置２００の未着用状態と判定されれば、ステップ１３１３に進み、端末機１００の現在状態を維持することができる。
【００９９】
一方、制御部１６０は、ステップ１３０５でイヤホン装置２００の着用状態と判定されれば、ステップ１３０７に進み、無電源センサー２１０に加えられる圧力の大きさを検出する。このために、制御部１６０は無電源センサー応答信号と基準データ１５３との比較の際に、圧力検出のために設けられた基準データ１５３と比較することができる。
【０１００】
そして、制御部１６０は、ステップ１３０９で検出された圧力の大きさが一定基準値以上か否かを監視する。ここで、制御部１６０は検出された圧力のサイズが基準値以下の場合、ステップ１３１３に進み、端末機１００の現在状態を維持するとよい。そして、制御部１６０は検出された圧力のサイズが基準値以上の場合、ステップ１３１１に進み、自動音量調整を実行することができる。
【０１０１】
一方、本発明の実施形態に従う端末機１００の制御部１６０は、圧力の大きさに対する複数のレベルを設定し、各レベルによって音量のサイズを相対的により大きくするか、またはより少なくすることができる。これをより詳細に説明すると、イヤホン装置２００の着用時、ユーザはイヤホンヘッド２０１、２０２を耳に挿入する際に周辺の騒音が大きい場合、イヤホンヘッド２０１、２０２を耳の中に一層深く挿入しようとすることがある。この場合、耳殻に単純に引っ掛ける程度に比べて無電源センサー２１０に加えられる圧力がより大きく検出される。これによって、本発明の制御部１６０は、無電源センサー２１０に加えられる圧力が増加するほど、オーディオの音量をより大きく自動設定されるように制御することができ、反対に、無電源センサー２１０に加えられる圧力が減少するほど、オーディオの音量を相対的に小さくなるように自動制御することができる。
【０１０２】
図１４は、本発明の実施形態に従うアプリケーション制御機能をサポートする端末機の画面インターフェースの一例を示す図である。特に、図１４は、イヤホン装置２００の装着と着用状態に従う画面インターフェースの一例を示す図である。
【０１０３】
図１４を参照すると、本発明の端末機１００の表示部１４０は、イヤホン装置２００がイヤホンインターフェース１７０に装着され、イヤホン装置２００が着用状態であれば、１４０１画面のようにイヤホン着用状態であることを表す着用状態情報、イヤホン装置２００の着用者の体温情報、イヤホン装置２００から送出されるボリューム情報のうちの少なくとも１つを出力することができる。１４０１画面は、表示部１４０が着用状態情報、体温情報、及びボリューム情報を全て出力する画面の例として示されているが、本発明はこれに限定されるものではない。
【０１０４】
一方、端末機１００は、前述した情報の出力のためにリーダー器１８０を制御して無電源センサー検出信号を送出するように制御することができる。無電源センサー検出信号は、イヤホンインターフェース１７０に設けられたグランド端子、イヤホン装置２００に含まれたグランドラインを通じて転送され、イヤホンヘッド２０１、２０２に設けられた無電源センサー２１０に伝達される。または、無電源センサー検出信号は、無線方式によりリーダー器１８０から送出されてもよく、このために、リーダー器１８０は、アンテナ構成をさらに含んでもよい。リーダー器１８０に含まれたアンテナは、無電源センサー検出信号送出のために無指向性アンテナ形態に設けられてもよい。
【０１０５】
イヤホンヘッド２０１、２０２に配置された無電源センサー２１０は、無電源センサー検出信号を受信すれば、物理的特性によって該当信号の反射波に該当する無電源センサー応答信号をリーダー器１８０に伝達する。この際、無電源センサー２１０は、グランドラインを通じて反射波をリーダー器１８０に伝達するか、または別にアンテナ部を設けて無線方式によりリーダー器に無電源センサー応答信号をリーダー器１８０に転送してもよい。一方、前述したように無電源センサー２１０は、イヤホンヘッド２０１、２０２に各々配置されることによって、複数個が設けられてもよく、またセンシング信号検出をより正確にするために、１つのイヤホンヘッドに複数個の無電源センサー２１０を複数個設けられてもよい。
【０１０６】
１４０１画面に表示される情報は一時的に出力されてもよい。そして、一定時間が経過すれば該当情報は、表示部１４０から除去されてもよい。そして、表示部１４０は、１４０３画面のようにイヤホン装置２００の装着及び着用状態で実行可能な端末機機能を表示部１４０に出力することができる。例えば、表示部１４０は、通話機能、音楽再生機能、ビデオ再生機能、放送受信機能など、オーディオ信号出力を、イヤホン装置２００を通じて出力する状況が必要な端末機機能などのリストを表示してもよい。ユーザは、表示部１４０に出力された機能リストのうちのいずれか１つを選択して該当機能活性化をリクエストすることができる。端末機１００は、機能活性化リクエストを受信すれば、該当機能を活性化し、発生されたオーディオ信号をイヤホン装置２００を通じて出力してもよい。
【０１０７】
さらに、表示部１４０は、１４０１画面及び１４０３画面のようにイヤホン装置２００が端末機１００に装着され、着用者に着用された状態の場合、これを指示する着用インジケータ１４１をインジケータ領域に出力してもよい。そして、表示部１４０は、１４０５画面のようにイヤホン装置２００が端末機１００に装着されたが、未着用状態の場合、それに対応する未着用インジケータ１４２をインジケータ領域に出力してもよい。
【０１０８】
一方、イヤホン装置２００の着用状態からイヤホン装置２００の未着用状態に変更されれば、端末機１００は、１４０５画面のようにイヤホン装置２００の未着用状態であることを表す未着用状態情報を表示部１４０に出力する。これと共に、端末機１００は、イヤホン装置２００の未着用に伴う機能を適用する。例えば、端末機１００は、オーディオ信号を本体に設けられたスピーカーに出力してもよい。そして、選択的に、端末機１００は、オーディオ信号のイヤホン装置２００の出力を中止するように制御してもよい。
【０１０９】
他の例として、端末機１００は、イヤホン装置２００が未着用状態に変更されれば、実行中のアプリを一時停止するように制御してもよい。この過程で、端末機１００は、アプリの一時停止情報を格納し、イヤホン装置２００の着用が再開されれば、一時停止情報を用いてアプリ再生を再実行することができる。表示部１４０は、一時停止されたアプリの一時停止状態を表示することができ、一時停止情報を出力することができる。一時停止情報は再生中のアプリの時間情報であってもよい。例えば、一時停止情報は、オーディオファイルやビデオファイルの一時停止時、一時停止された時点の情報であってもよい。
【０１１０】
イヤホン装置２００がイヤホンインターフェース１７０から取り外される場合、表示部１４０は、１４０７画面のようにイヤホン装置２００の装着解除を案内するメッセージを一時的に出力してもよい。そして、表示部１４０は、一定時間が経過すれば、該当メッセージを表示部１４０から除去してもよい。この過程で、端末機１００は、オーディオ信号を端末機１００の本体のスピーカーに出力するように調整することができる。
【０１１１】
図１５は、本発明の実施形態に従うイヤホン装置の動作方法を説明するための図である。
【０１１２】
図１５を参照すると、本発明のイヤホン装置は、まずステップ１５０１で、イヤホン装置２００が端末機１００から検出信号を受信する。検出信号を受信するステップで、上記イヤホン装置２００の無電源センサー２１０は、アンテナ部を含み、このアンテナ部を介して上記検出信号を無線で受信することができる。また、イヤホン装置２００の無電源センサー２１０は、上記検出信号をイヤホンヘッドと接続された信号ラインを通じて受信することができる。特に、イヤホン装置２００の無電源センサー２１０は、イヤホンヘッドのグランドラインを通じて検出信号を受信することができる。
【０１１３】
そして、ステップ１５０３で、イヤホン装置２００が上記受信された検出信号を少なくとも１つの無電源センサー２１０の現在状態に対応する応答信号に変調する。この際、無電源センサー２１０は、温度及び圧力変化のうち、少なくとも１つの変化に従う物理的特性が変更されるステップと、上記変更された物理的特性によって上記検出信号を上記応答信号に変調するステップを含んでもよい。そして、無電源センサー２１０が複数個設けられる場合、上記応答信号を変調するステップは、温度変化によって物理的特性が変更された上記無電源センサーのうち、少なくとも１つに基づいて上記検出信号を変調するステップ、及び圧力変化によって物理的特性が変更された上記無電源センサーのうち、少なくとも１つに基づいて上記検出信号を変調するステップのうち、少なくとも１つのステップを含むことができる。
【０１１４】
次に、ステップ１５０５で、イヤホン装置２００が、上記変調された応答信号を上記端末機１００に出力する。このようなステップを通じて、本発明のイヤホン装置は、検出信号を送信する端末機１００に、自身の変更状態、特に物理的変更状態に従う応答信号を送出することができる。この際、イヤホン装置２００の無電源センサー２１０は、アンテナ部を含み、上記アンテナ部に基づいて応答信号を無線で出力することができる。また、イヤホン装置２００の無電源センサー２１０は、上記応答信号をイヤホンヘッドと接続された信号ライン、特にグランドラインを通じて端末機１００に出力することができる。
【０１１５】
以上、説明したように、本発明の実施形態に従う端末機アプリケーション制御方法及びシステムとこれをサポートする端末機によれば、本発明は、イヤホン装置２００の装着及び着用の有無によって端末機の機能を適応的に実行することができる。特に、本発明は、イヤホン装置２００を着用したか否かの監視のために無電源センサー２１０を用いることによって、着用感知のための電力消費を最小限とすることができ、また本発明は、イヤホン装置２００の着用者の多様な状況に対する情報、例えば温度と圧力変化などの状況によって多様な情報提供が可能である。
【０１１６】
一方、前述した携帯端末機１００は、その提供形態によって多様な追加モジュールをさらに含んでもよい。即ち、上記携帯端末機１００は、上記携帯端末機１００の有線通信方式、または無線通信方式によるデータ送受信のためのインターフェース、インターネットネットワークと通信してインターネット機能を実行するインターネット通信モジュールのように、上記されていない構成をさらに含むこともできる。このような構成要素はディジタル機器のコンバージェンス（convergence）の動向によって非常に多様に変形されうるので、全て列挙することはできないが、上記言及された構成要素と同等な水準の構成要素が上記デバイスにさらに含まれて構成されてもよい。また、本発明の端末機１００は、その提供形態によって上記した構成から特定構成が除外されたり、他の構成に取り替えたりすることもできることは勿論である。これは、本技術分野の通常の知識を有する者であれば、容易に理解することができる。
【０１１７】
また、本発明の実施形態に従う上記携帯端末機１００は、例えば上記端末機１００は多様な通信システムに対応する通信プロトコル（communication protocols）に基づいて動作する全ての移動通信端末機（mobile communication terminals）をはじめとして、ＰＭＰ（Portable Multimedia Player）、ディジタル放送プレーヤー、ＰＤＡ（Personal Digital Assistant）、音楽再生機（例えば、ＭＰ３プレーヤー）、携帯ゲーム端末、スマートフォン（Smart Phone）、ノートブック（Notebook）、及びハンドヘルドＰＣなど、全ての情報通信機器とマルチメディア及びそれに対する応用機器とを含むことができる。
【０１１８】
一方、本明細書と図面を通じて、本発明の好ましい実施形態に対して説明し、特定の用語が使われたが、これは単に本発明の技術内容を容易に説明し、発明の理解を助けるための一般的な意味で使われたものであり、本発明の範囲を限定しようとするものではない。ここに開示された実施形態の他にも本発明の技術的思想に基づいた他の変形例が実施可能であるということは、本発明が属する技術分野で通常の知識を有する者に自明である。
【符号の説明】
【０１１９】
１００    端末機
１１０    通信部
１２０    入力部
１３０    オーディオ処理部
１４０    表示部
１５０    記憶部
１６０    制御部
１７０    イヤホンインターフェース
１８０    リーダー器
１９０    ＦＭモジュール
２００    イヤホン装置
２０１、２０２    イヤホンヘッド
２０３    イヤホンジャック
２１０    無電源センサー
２２０    ヘッド部
２３０    ケース
１０    アプリケーション制御システム
【図１】
2014165925.tif 000003
【図２Ａ】
2014165925.tif 000004
【図２Ｂ】
2014165925.tif 000005
【図２Ｃ】
2014165925.tif 000006
【図２Ｄ】
2014165925.tif 000007
【図３】
2014165925.tif 000008
【図４】
2014165925.tif 000009
【図５】
2014165925.tif 000010
【図６】
2014165925.tif 000011
【図７】
2014165925.tif 000012
【図８】
2014165925.tif 000013
【図９】
2014165925.tif 000014
【図１０】
2014165925.tif 000015
【図１１】
2014165925.tif 000016
【図１２】
2014165925.tif 000017
【図１３】
2014165925.tif 000018
【図１４】
2014165925.tif 000019
【図１５】
2014165925.tif 000020